(57)【要約】【課題】ユーザが保有するカードが増え、カード特典情報も多彩に渡るため、実際に商品を購入するときに、どんな種類のカードを持ち、それらのカードはどういう特典情報を有しているのかを把握して活用することは困難であった。【解決手段】予め、カード特典情報サーバに登録した携帯通信端末と、店舗内情報端末を用いて、両端末が登録時に発行されたＩＤを含めた問合せ情報を、いずれかの端末内で作成し、カード特典情報サーバに送信する。このＩＤに基づいて、カード特典情報サーバは、サーバ内の複数のデータベースを検索し、該当する情報を抽出し、問合せ情報の送信元に送信する。この該当情報は、該店舗で該ユーザが利用可能なカード特典情報が含まれた回答情報であり、これにより、ユーザは、該店舗で利用可能な複数のカードそれぞれの特典情報を得ることができ、特典情報を比較して利用することができる。【選択図】      図１
2007172465.tif 000002
【特許請求の範囲】
【請求項１】
ユーザＩＤが登録された携帯通信端末と、
店舗ＩＤが登録された店舗内情報端末と、
ユーザの保有するカードを示すカード情報と前記ユーザＩＤとを関連付けて登録するユーザＩＤデータベースと、店舗が特典サービスの契約をしたカード発行会社が発行したカードを示すカード情報と前記店舗ＩＤとを関連付けて登録する店舗ＩＤデータベースと、カード情報に関連付けて登録されたカード利用に伴うカード特典情報を登録するカード特典情報データベースとを有するカード特典情報サーバとを含み、
前記カード特典情報サーバは、前記ユーザＩＤと前記店舗ＩＤを含む問合せ情報を前記いずれかの端末より受信すると、問合せ情報に含まれるそれぞれのＩＤを用いて、前記カード特典情報サーバ内のそれぞれのデータベースより、前記ユーザＩＤと前記店舗ＩＤに一致したカード情報を抽出し、該当するカード特典情報を加えて作成した回答情報を、問合せ情報の送信元に送信することを特徴とするカード特典情報提供システム。
【請求項２】
前記カード特典情報提供システムは、さらに認証システムを有し、
前記認証システムは、前記携帯通信端末のユーザが保有するカードを示すカード情報と前記携帯通信端末固有の端末情報を含む利用申請情報を、前記携帯通信端末から受信する通信部と、
前記ユーザが利用可能なカードを示すカード情報と、端末情報の真偽を判定し、
確証が取れた前記携帯通信端末に対応するユーザＩＤを作成する制御部と
を含むことを特徴とする前記請求項１に記載のカード特典情報提供システム。
【請求項３】
前記カード特典情報サーバは、前記認証システムで作成されたユーザＩＤを受けると、前記ユーザＩＤデータベース内に、前記作成されたユーザＩＤに関連付けて、前記カード情報を登録する制御部を含むことを特徴とする前記請求項２に記載のカード特典情報提供システム。
【請求項４】
前記ユーザＩＤデータベースの登録が完了した後にカード特典情報サーバから送信される作成完了通知を受けると、
前記認証システムの制御部は、前記携帯通信端末に向けて、前記作成したユーザＩＤを送信することを特徴とする前記請求項３に記載のカード特典情報システム。
【請求項５】
前記認証システムは、前記店舗内情報端末からの特典サービスを利用可能なカードを示すカード情報と店舗内情報端末固有の端末情報を含む利用申請情報を受信する通信部と、
前記店舗において、特典サービスを利用可能なカードを示すカード情報の真偽を判定し、
確証が取れた前記店舗内情報端末に対応する店舗ＩＤを作成する制御部と
を含むことを特徴とする前記請求項２ないし４のいずれか１つに記載のカード特典情報システム。
【請求項６】
前記カード特典情報サーバは、前記認証システムで作成された店舗ＩＤを受けると、前記店舗ＩＤデータベース内に、前記作成された店舗ＩＤに関連付けて、前記カード情報を登録する制御部を含むことを特徴とする前記請求項５に記載のカード特典情報提供システム。
【請求項７】
前記店舗ＩＤデータベースの登録が完了した後にカード特典情報サーバから送信される作成完了通知を受けると、
前記認証システムの制御部は、前記店舗内情報端末に向けて、前記作成した店舗ＩＤを送信することを特徴とする前記請求項６に記載のカード特典情報システム。
【請求項８】
前記店舗内情報端末、及び前記携帯通信端末は、ＩＤを含む前記端末内の情報をお互いに送受信することを可能にする近距離無線通信部を有することを特徴とする前記請求項７に記載のカード特典情報システム。
【請求項９】
前記請求項１に記載の問合せ情報は、前記店舗内情報端末が有する近距離無線通信部から、前記携帯通信端末が有する近距離無線通信部に向けて送信された送信情報に含まれたユーザＩＤと、店舗内情報端末が保有する店舗ＩＤを含めて作成されることを特徴とする前記請求項１ないし８のいずれか１つに記載のカード特典情報提供システム。
【請求項１０】
前記問合せ情報は、前記店舗内情報端末が有する近距離無線通信部から、前記携帯通信端末が有する近距離無線通信部に向けて送信された送信情報に含まれる店舗ＩＤと、携帯通信端末が保有するユーザＩＤとを含めて作成されることを特徴とする前記請求項１ないし８のいずれか１つに記載のカード特典情報提供システム。
【請求項１１】
カード特典情報サーバは、前記ユーザＩＤとユーザの保有するカードを示すカード情報を、前記ユーザＩＤに関連付けて格納するユーザＩＤデータベースと、
店舗ＩＤと店舗が特典サービスの契約をしたカード発行会社が発行したカードを示すカード情報を、前記ユーザＩＤに関連付けて格納する店舗ＩＤデータベースと、
カード情報に対応付けられたカード特典情報を格納するカード特典情報データベースと、
それぞれのデータベースよりデータを抽出する抽出部と、
インターネット網に対しアクセス可能な通信部と、
前記抽出部、及び通信部の制御やデータベースの作成を指示する制御部とを有し、
前記ユーザＩＤと前記店舗ＩＤを含む問合せ情報を受信すると、問合せ情報に対応した回答を前記データベースより抽出して、回答情報を作成し、前記回答情報を問合せ情報の発信元に送信することを特徴とするカード特典情報サーバ。
【請求項１２】
前記回答情報は、
前記問合せ情報に含まれる前記店舗ＩＤを用いて、前記店舗ＩＤデータベースから該当する店舗ＩＤに関連付けられたカード情報を、
前記ユーザＩＤを用いて、ユーザＩＤデータベースから該当するユーザＩＤに関連付けられた情報を、それぞれ抽出し、
これらの抽出データに一致したカード情報に関連付けられたカード特典情報を、さらにカード特典情報データベースより検索することで得られる検索結果を含めて作成されることを特徴とする前記請求項１１に記載のカード特典情報サーバ。
【請求項１３】
前記制御部は、前記携帯通信端末より利用申請情報を受けた前記認証システムから、データベースの作成指示を受けると、前記ユーザＩＤデータベースを作成することを特徴とする前記請求項１１ないし１２のいずれか１つに記載のカード特典情報サーバ。
【請求項１４】
前記制御部は、前記店舗内情報端末より利用申請情報を受けた前記認証システムから、データベースの作成指示を受けると、前記店舗ＩＤデータベースを作成することを特徴とする前記請求項１１ないし１３のいずれか１つに記載のカード特典情報サーバ。
【請求項１５】
前記発信元とは、前記携帯通信端末か、前記店舗内情報端末のいずれかであることを特徴とする前記請求項１１ないし１４のいずれか１つに記載のカード特典情報サーバ。
【請求項１６】
前記認証システムは、携帯通信端末か、店舗内情報端末のいずれかの端末より受信した利用申請情報から、端末固有の端末情報と、カード情報を抽出し、該当端末の契約先会社のコンピュータと、カード情報から判別されるカード発行会社のコンピュータに対して、電子的に問合せを行い、確証が取れた場合、
前記端末固有の端末情報に基づいてＩＤを作成し、カード特典情報サーバに、前記ＩＤに基づいたデータベースの作成指示を出すことを特徴とする認証システム。
【請求項１７】
前記カード特典情報サーバからの前記作成指示に対する作成完了通知を受けた前記認証システムは、前記カード特典情報サーバに対するアクセスを許可するＩＤを、利用申請情報の発信元の端末に送信することを特徴とする前記請求項１６に記載の認証システム。
【発明の詳細な説明】
【技術分野】
【０００１】
本発明は、複数種類のクレジットカードを有するユーザに対して、携帯端末を介して店舗で利用可能な特定のクレジットカードの特典情報を取得、もしくは確認可能とするクレジットカード特典情報提供システムに関する。
【背景技術】
【０００２】
クレジットカードの特典情報はクレジットカード発行会社のホームページや、利用明細と一緒に送付される冊子に記載されている。しかしながら、ユーザ一人あたりの保有クレジットカード枚数の増加により、クレジットカードの利用ユーザはクレジットカード利用時に特典情報を把握していないことが多いと考えられる。
【０００３】
従来の携帯通信端末を利用したクレジットカードの特典情報の取得方法としては、まず、ユーザが物品を購入したとき、購入分のポイントをサーバにためておき、特典を受けたいときにサーバから携帯通信端末にダウンロードし、この情報を店舗の受付端末に読み込ませることで、利用可能なポイントシステムがある（特許文献１：特開２００３−１４１４０２号公報参照）。
【０００４】
また、店舗で商品を購入するときに、店舗内装置が読み込んだ携帯通信端末を所有するユーザ情報、およびその店舗情報をデータベースとなるサーバに送信し、このサーバではユーザがこの店舗で利用可能なカード情報を店舗に送信する。これにより、店舗は、クレジットカードや店舗特有のポイントカードなど、支払いの際に利用可能なカード情報をユーザに伝えることで、ユーザにこれらのカードの利用を促すことを可能にする（特許文献２：特開２００４−１２６８９８号公報参照）構成が知られている。
【０００５】
ここでは、利用者がカード特典情報を利用したい場合、自端末より、利用者ＩＤと位置情報を情報システムに送信すると、情報システム内で、利用者ＩＤに関連付けて登録した所有カードの情報と、自端末の位置情報と照らし合わせて、その位置近辺で、該カードが利用可能な特典情報を抽出し、利用者端末に情報を送信する（特許文献３：特開２００５−１８５４０号公報参照）構成となっている。
【０００６】
【特許文献１】特開２００３−１４１４０２号公報
【特許文献２】特開２００４−１２６８９８号公報
【特許文献３】特開２００５−１８５４０号公報
【発明の開示】
【発明が解決しようとする課題】
【０００７】
しかし、かかる構成の場合、ユーザがある店舗内にいて、その店舗で取り扱う商品を購入する場合に、その店舗で利用可能なカードばかりでなく、そのカードのサービスである特典情報まで把握することは難しく、しかも特典サービスを受けるためには、その特典情報を有するカードを該店舗に掲示することで可能となることが多い。そのため、ユーザは自分の所有しているカードの中で利用可能で最適な特典情報を知っているにも関わらず、その特典情報を有するカードを携帯していないために受けられないこともある。
【０００８】
また、情報サービスが増加している現在においては、顧客に特典サービスをすることを前提に、複数のカード発行会社と契約する店舗も多く、そのため、ひとつの店舗で利用可能なカードが複数にまたがる場合もある。このときに、ユーザが覚えている特典情報を有するカードを利用して購入をした場合でも、後々に他の利用可能なカードの特典情報のほうが、ユーザにとって好都合であったと判明する場合もある。
【０００９】
そのため、本発明は上記の事情に鑑みてなされたものであり、その目的は、ユーザにとっては、常に携帯される端末である携帯通信端末を利用することによって、店舗内の商品の購入の際にカードを不携帯でも、加入もしくは所有しているカードの特典などを利用可能とすることにある。また、該店舗において利用可能なカードの種類を把握するだけではなく、それぞれのカードが提供する特典情報を、店舗の商品を購入する前に把握や比較ができることは非常に好都合であり、この把握、比較を容易にすることも目的とする。
【課題を解決するための手段】
【００１０】
本発明は、ユーザＩＤが登録された携帯通信端末と、店舗が保有する店舗ＩＤが登録された店舗内情報端末と、前記ユーザＩＤに関連付けて登録されたカード情報を記録するユーザＩＤデータベースと、前記店舗ＩＤに関連付けて登録された契約先カード発行会社情報を記録する店舗ＩＤデータベースと、カード発行会社から提供されるカードを利用する際に提供される特典情報が登録されたカード特典情報データベースとを有するカード特典情報サーバと、カード特典情報サーバの利用可否を決定するユーザＩＤと店舗ＩＤを作成する認証システムとの間で、ネットワーク網を介して通信可能なカード特典情報提供システムを構築し、店舗内情報端末、もしくは携帯通信端末からユーザＩＤと店舗ＩＤを含む問合せ情報を受けると、カード特典情報サーバが、このユーザＩＤと店舗ＩＤそれぞれに関連するそれぞれのデータベースから、該ユーザＩＤと該店舗ＩＤに一致するカード特典情報を抽出し、カード特典情報を含めた回答情報として店舗内情報端末に送信することで、携帯通信端末を所有するカード利用者へ所望するカード特典情報を公開することを可能にするカード特典情報提供システムを提供する。
【００１１】
さらに、本発明は、前記カード特典情報システムにおいて、ユーザＩＤと店舗ＩＤを含む問合せ情報を受けると、店舗が契約したカード情報が登録されている店舗ＩＤデータベースより前記店舗ＩＤに該当するカード情報を抽出し、ユーザが保有しているカード情報が登録されている前記ユーザＩＤデータベースよりユーザＩＤに該当する情報を抽出し、これらの抽出データより該当したカード情報を元に、カード特典情報データベースから抽出したカード特典情報を、回答情報に含めて、問合せ情報送信元に送信することを特徴とするカード特典情報サーバを提供する。
【発明の効果】
【００１２】
本発明の効果は、ユーザが店舗にて商品を購入するときに、端末認証による利用のために、カードの携帯が不要であること、また、その店舗において利用可能なカード及びそのカードの特典情報を把握することのみにとどまらない。
【００１３】
つまり、複数のカードが利用可能な場合においても、それぞれのカード発行会社が提供する特典情報を把握し、その複数の特典情報の中から、ユーザにとって好ましい特典を選択して得ることを可能とする。
【００１４】
このように、ユーザにとって、店舗内情報端末を有する店舗内で購入をする際に、携帯通信端末を携帯していれば、ユーザの有する複数のカードのカード発行会社が提供する特典サービスを把握可能であるために、ユーザは特典情報を事前に調べることも不要となる。
【発明を実施するための最良の形態】
【００１５】
本発明の実施の形態のクレジットカード特典情報提供システムの構成について図面を用いて詳細に説明する。
【００１６】
なお、ここでは一例として携帯通信端末１００（以下、携帯端末と称す。）について説明する。
【００１７】
図１は、本発明の実施の形態におけるシステム構成の例を示す図である。
【００１８】
図において、クレジットカード特典情報提供システムは、ユーザが通信に利用する携帯通信端末１００と、カード特典を利用している店舗に設置されており、携帯端末１００から所定の情報を読み取ることを可能とする店舗内情報端末２００とを含む。
【００１９】
店舗内情報端末（以下、店舗端末と称する。）２００は、インターネット網５を介して、認証機関が有する認証システム３００と、カード特典情報サーバ４００（以下、サーバと称する。）とアクセス可能である。また、無線回路網５０は、基地局を含む移動体通信網であり、インターネット網５とも接続されている。
【００２０】
この携帯端末１００と、店舗端末２００は、後述するとおり、直接通信可能である近距離無線通信部を有し、該近距離無線通信部同士で、お互いの端末の保有する情報の送受信が可能である。
【００２１】
図２は本発明の第一の実施の形態における携帯端末１００の電気的構成を示すブロック図である。
【００２２】
端末固有の端末情報を含む携帯端末１００は、携帯端末１００の有する機能を制御する制御部１０１と、アンテナ１０３を介して、無線回路網５０に接続可能となる無線通信部１０２と、サーバ４００から送信されたユーザＩＤを記録可能なメモリ１０３と、携帯端末１００を操作するための入力部１０４と、受信したデータを表示可能な表示部１０５と、メモリ１０３の情報などを相手端末と直接送受信可能な近距離無線通信部１０６を含む。なお、端末情報は、携帯端末１００自体を示すユニークな情報であれば携帯端末１００の電話番号などを含めてもかまわないが、認証システム３００（図１）でユーザ認証を行うため、秘匿性の高い情報にするのが好ましい。
【００２３】
図３は本発明の実施の形態における店舗端末２００の電気的構成を示すブロック図である。
【００２４】
店舗端末２００は、店舗端末２００の有する機能を制御する制御部２０１と、ネットワークと通信するための通信部２０２と、取得した受信データや送信データを記録するメモリ２０３と、店舗端末２００を操作するための入力部２０４と、受信したデータを表示可能な表示部２０５と、相手端末の近距離無線通信部に対して、携帯端末１００の情報を送受信可能な近距離無線通信部２０６を含む。
【００２５】
また、店舗端末２００の表示部２０５は、サーバ４００より得られた情報を表示することができる。
【００２６】
本発明の実施の形態で用いられる近距離無線通信部は、端末内に保持しているＩＤのやりとりに利用される。すなわち、携帯端末１００の近距離無線通信部１０６から携帯端末１００のユーザＩＤが送信され、店舗端末２００の近距離無線通信部２０６で受信される。
【００２７】
または、近距離無線通信部２０６から送信された店舗ＩＤは、近距離無線通信部１０６で受信される。
【００２８】
携帯端末１００から送信されたユーザＩＤを、近距離無線通信部２０６で受信すると、制御部２０１は、このユーザＩＤを店舗端末２００のメモリ２０３に保存する。携帯端末１００、店舗端末２００共に、ここでは交信のための通信手段として近距離無線通信部１０６と近距離無線通信部２０６を用いているが、通信可能であれば有線による通信方法でもよい。
【００２９】
入力部２０４から問合せ情報の作成の指示を受けると、制御部２０１は、カード特典情報の問合せのための問合せ情報を作成する。通信部２０２は、その問合せ情報をインターネット網５を介して、サーバ４００に送信し、当該店舗で利用可能なカード特典情報を問い合せる。
【００３０】
なお、前記問合せ情報とは、サーバ４００から所望するカード特典情報を取得するための送信情報であり、店舗ＩＤとユーザＩＤを含む。
【００３１】
図４は、本発明のカード特典情報提供システムにおける認証システムの電気的構成を示すブロック図である。
【００３２】
認証機関に設置される認証システム３００は、システムを制御する制御部３０１と、インターネット網５を介して通信を行う通信部３０２と、メモリ３０３を含む。
【００３３】
また、認証システム３００は、ユーザ及び店舗情報の信頼性を確認するための認証を行い、この認証結果に基づいてサーバ４００からの利用情報の提供を許可する。
【００３４】
つまり、ここで認証した結果により、サーバ４００の利用可否を決定する。また、サーバ４００は、携帯端末１００のユーザに対して、ユーザＩＤを用いることを前提にアクセスを許可する。
【００３５】
図５は本発明の実施の形態におけるサーバ４００の電気的構成を示すブロック図である。
【００３６】
サーバ４００は、サーバ４００の有する機能を制御する制御部４０１と、ネットワークと通信するための通信部４０２と、取得した受信データや送信データを記録するメモリ４０３を含む。
【００３７】
また、サーバ４００は、メモリ４０３内に、後述するユーザ情報が登録されるユーザＩＤデータベース４０５と、店舗情報が登録される店舗ＩＤデータベース４０６とカード発行会社それぞれのカード利用に伴う特典情報が登録されるカード特典情報データベース４０７とを有する。さらにサーバ４００は、それぞれのデータベースから所定の条件を満たすデータの抽出作業を行い、回答情報を作成するデータ抽出部４０４を備える。
【００３８】
サーバ４００は、インターネット網５を介して店舗端末２００から受信した前述の問合せ情報を復号化し、この情報に含まれているユーザＩＤと、店舗ＩＤを抽出し、それぞれ、ユーザＩＤデータベース４０５と、店舗ＩＤデータベース４０６から、それらのＩＤに関連付けられたカード情報を検索する。
【００３９】
ところで、本発明の第一の実施の形態のカード特典情報提供システムを利用する前に、予め、認証機関にある認証システム３００に、ユーザ認証を行う必要がある。ここでユーザ認証を行ってから、ユーザ情報をサーバ４００に登録する。
【００４０】
この登録する処理に関して、携帯端末１００から利用申請を行うときのユーザ情報を登録する処理のフローを図６に、店舗端末２００から店舗情報を登録するときのフローを図７に示す。
【００４１】
図６は、携帯端末１００が、サーバ４００にユーザ情報を登録する場合のシステムの動作を示すフローチャートである。
【００４２】
ここで用いる利用申請とは、認証機関にある認証システム３００（図１）に対して利用申請情報を送信することである。この場合、携帯端末１００を利用して登録を行う形態であるが、認証システム３００に接続可能なものであれば、その他の通信端末を用いて、認証システム３００に対し利用申請情報を送信する方法でもかまわない。
【００４３】
まず、ユーザは登録を行うとき、携帯端末１００の入力部１０４の操作を行い、サーバ４００を利用するために、認証システム３００に接続されたサイトにアクセスして利用申請情報の登録画面をダウンロードする。
【００４４】
ユーザは、登録画面において必要事項を入力してから、さらに、認証システム３００宛に利用申請情報を送信する（ステップ６１）。
【００４５】
この利用申請情報は、携帯端末１００に固有の端末情報と、ユーザが保有しているカード情報を含む。また、利用申請情報の送信方法は、必要事項を入力した電子メールを認証システム３００に直接送信する形態でもよい。
【００４６】
通信部３０２で受信した利用申請情報から、認証システム３００の制御部３０１は、携帯端末１００に固有の端末情報と、ユーザが所有するカード情報を抽出する（ステップ６２）。
【００４７】
次に、認証システム３００の制御部３０１は、携帯端末１００の端末情報から携帯端末１００の携帯端末会社を、カード情報からカードの契約先のカード発行会社をそれぞれ識別し、それらの識別結果より判別された携帯端末会社のコンピュータ、及びカード発行会社のコンピュータと、通信部３０２が通信を行って、ユーザと契約済みであるかなどの確証を取るための問合せを電子的に行い、情報の信頼性を確認する（ステップ６３）。
【００４８】
情報の信頼性が取れた（ユーザ認証が取れた）ことを示す情報を各コンピュータから受信した場合、認証システム３００の制御部３０１は、利用申請情報を送信したユーザを示すユーザＩＤを作成し、通信部３０２からサーバ４００に送信する（ステップ６４）。
【００４９】
サーバ４００は、そのユーザＩＤをキーとして、利用申請情報に含まれるユーザが所有するカード情報を関連付けた図９に示すようなユーザＩＤデータベース４０５を作成し、登録する（ステップ６５）。
【００５０】
なお、図９では、ユーザＩＤが３桁の通し番号で例示されているが、秘匿性を保つために桁数がもっと多くてもよく、また記号と番号を複合したものでもよい。
【００５１】
サーバ４００が、該ユーザ用のユーザＩＤとカード情報から、ユーザＩＤデータベース４０５の作成を完了したあと、認証システム３００に完了信号を送信する。
【００５２】
認証システム３００の制御部３０１は、これにより、該データベースを指定するユーザＩＤを暗号化し、通信部３０２は、暗号化されたユーザＩＤを利用申請情報を送信したユーザの携帯端末１００に向けて送信する（ステップ６６）。
【００５３】
携帯端末１００は、受信したユーザＩＤを復号化し、端末内のメモリ１０３に記録する（ステップ６７）。
【００５４】
以上までが、携帯端末１００が、サーバ４００にユーザ情報を登録する処理である。
【００５５】
次に店舗端末２００から、認証システムに利用申請を行うときについて、図７のシステムの動作を示すフローチャートを用いて説明する。
【００５６】
まず、店舗端末２００のオペレータが、登録を行うとき、サーバ４００を利用するために、店舗端末２００から認証システム３００に対して、店舗端末２００の情報と、契約しているカードすべての種別に関する情報（カード情報）を含めた利用申請情報を送信する（ステップ７１）。
【００５７】
ここで、店舗端末２００からの利用申請情報の送信形態は、たとえば、携帯端末１００の送信方法と同じく、店舗端末２００の通信部２０２を介して、サーバ４００から提供されている特定のサイトに対してアクセスして必要な情報を入力してから送信する形態や、必要な情報をサーバ４００に対して直接電子メールで送信する形態でもよい。
【００５８】
通信部３０２を経て受信した利用申請情報から、認証システム３００の制御部３０１は、店舗端末２００に固有の端末情報と、契約しているカードの種別を示すカード情報を抽出する（ステップ７２）。
【００５９】
また、制御部３０１は、カード情報に基づき、そのカードを運用しているカード発行会社のコンピュータを識別する。この識別情報に基づいて、通信部３０２は、そのコンピュータと通信し、該店舗端末２００と契約しているかなどの問合せを電子的に行うことで情報の信頼性を確認する（ステップ７３）。
【００６０】
次に通信部３０２が、情報の信頼性が取れたことを示す情報を各契約先カード発行会社のコンピュータから受信した場合、認証システム３００の制御部３０１は、利用申請情報を送信した店舗を示す店舗ＩＤを作成し、通信部３０２からサーバ４００に送信する（ステップ７４）。
【００６１】
サーバ４００は、その店舗ＩＤをキーとして、利用申請情報に含まれる店舗端末２００と契約しているカード情報を関連付けた図１０に示すような店舗ＩＤデータベース４０６を作成する（ステップ７５）。
【００６２】
サーバ４００は、利用申請情報に基づいた店舗ＩＤデータベース４０６の作成が完了したあと、認証システム３００に通信部４０２を介して完了信号を送信する。
【００６３】
認証システム３００は、利用申請情報を送信した店舗に対して、該店舗のデータベースを指定する店舗ＩＤを暗号化し、通信部３０２から暗号化された店舗ＩＤを利用申請情報を送信した店舗端末２００に向けて送信する（ステップ７６）。
【００６４】
店舗端末２００は、受信した店舗ＩＤを復号化し、端末内のメモリ２０３に記録する（ステップ７７）。
【００６５】
ここで、サーバ４００にあるユーザＩＤデータベース４０５及び店舗ＩＤデータベース４０６は、それぞれ図９、図１０のように、ＩＤをキーとして関連情報がまとめられている。
【００６６】
例えば、図９のユーザＩＤが『００１』の場合、所有するカードは、Ａカード、Ｂカード、Ｃカードとなる。たとえば、店舗ＩＤが『ＴＥＭＰＯ１』の店舗が契約しているカードは、図１０の通り、ＢカードとＣカードである。
【００６７】
また、このユーザＩＤは、犯罪的利用防止のため、いつでも変更可能であり、所有するカードの契約、解約などの変更に伴って登録情報を随時変更も可能である。
【００６８】
なお、ユーザＩＤはある程度の秘匿性が要求されるが、店舗ＩＤデータベース４０６を指定する店舗ＩＤは該店舗を利用するユーザに公開可能とする。
【００６９】
また、カード特典情報データベース４０７は図１１のように、カード発行会社が提供する特典情報一覧がデータベース化されて、記録されている。
【００７０】
このカード特典情報データベース４０７も、カード発行会社から、容易に変更可能に設定されている。
【００７１】
以上が、本発明のカード特典情報提供システムを利用するための登録処理であり、次に、本発明の実施の形態のカード特典情報提供システムを利用してカード特典情報を取得するための処理について図８を用いて説明する。
【００７２】
携帯端末１００を有するユーザが、店舗内で購入したい商品を見つけ、ユーザの有する複数のカードの中で、該店舗で利用可能なカード、及びこれらのカード利用によって提供される特典情報を調べたいときを想定する。このときに本発明の実施の形態のカード特典情報提供システムにより、ユーザは該店舗内に設置されている店舗端末２００と携帯端末１００を利用して特典情報を有するサーバ４００から所望する情報を取得することができる。
【００７３】
つまり、サーバ４００は、ユーザＩＤと店舗ＩＤが含まれた問合せ情報を受けた場合、事前に登録されている携帯端末１００のユーザＩＤと、店舗端末２００の店舗ＩＤに基づいて登録されたそれぞれのデータベースを検索することになる。
【００７４】
一例として、ユーザＩＤ『００１』のユーザが、店舗ＩＤ『ＴＥＭＰＯ１』の店舗で購入をする場合の特典情報を得るサーバ４００へ問い合わせ、及びサーバ４００からの回答情報を得る流れを説明する。
【００７５】
ユーザは、携帯している携帯端末１００の入力部１０４を操作して、カード特典情報取得モードに設定し、近距離無線通信部１０６を、店舗内に設置されている店舗端末２００の近距離無線通信部２０６にかざすことで暗号化したユーザＩＤを送信する。
【００７６】
一方、店舗端末２００は、オペレータの入力部２０４の操作により予めユーザＩＤ受信モードに設定することで、送信されてきたユーザＩＤを、近距離無線通信部２０６を介して、取得することができる（ステップ８１）。
【００７７】
店舗端末２００の制御部２０１は、ユーザＩＤを読み取ったあと、該店舗の店舗ＩＤと合わせて暗号化し、サーバ４００への問合せ情報を作成し（ステップ８２）、通信部２０２からサーバ４００に送信する（ステップ８３）。
【００７８】
サーバ４００の制御部４０１は、通信部４０２で受け取った問合せ情報を復号化し、ユーザＩＤはユーザＩＤデータベース４０５へ、店舗ＩＤは店舗ＩＤデータベース４０６へ渡す（ステップ８４）
制御部４０１は、さらにそれぞれのデータベースにおいて、渡されたＩＤから該当するＩＤに関連するデータを検索する（ステップ８５）。
【００７９】
つまり、図９に図示されるユーザＩＤデータベース４０５から、検索した結果、たとえば、図１２に図示されるようにユーザＩＤが『００１』のデータのみが選択され、同様にして図１０に図示される店舗ＩＤデータベースから、図１３に示される店舗ＩＤが『ＴＥＭＰＯ１』で示されるデータが選択されることとなる。
【００８０】
制御部４０１は、選択されたデータを、データ抽出部４０４に格納し、ユーザＩＤに該当するデータと、店舗ＩＤに該当するデータを照らし合わし、一致した情報を、検索結果情報として抽出する（ステップ８６）。
【００８１】
ここでは、図１２の抽出データと図１３の抽出データが照らしあわされ、同一ユーザＩＤ『００１』、同一店舗ＩＤ『ＴＥＭＰＯ１』に一致するカード情報が合成されると、図１４のような検索結果情報となる。
【００８２】
次に、制御部４０１は、検索結果情報を参照に、カード特典情報データベース４０７を検索し（ステップ８７）、前記検索結果に含まれるカード情報に一致するカード特典情報を、データ抽出部４０４に出力する。これによりデータ抽出部４０４はカード特典情報を検索結果情報に追加し、さらに、該ユーザ、該店舗（『ＴＥＭＰＯ１』の店舗）に対して利用可能なカード情報、及びそのカードが提供する特典情報とを含む回答情報を作成し、通信部４０２から店舗端末２００に送信する（ステップ８８）。
【００８３】
なお、データ抽出部４０４では、図１１に図示されるような、カード特典情報データベース４０７から一致するカード発行会社の特典情報を、図１４の検索結果情報に追加し、結果として図１５のように、特定のユーザが特定の店舗で利用可能なカードの特典情報の一覧として加工されたデータを含む回答情報を作成し、店舗端末２００へ送信するものとする。
【００８４】
店舗端末２００は、受信した回答情報を、例えば図１５のデータ一覧形式として表示部２０５に表示する（ステップ８９）。
【００８５】
以上が、本発明のシステムを利用したカード特典情報提供サービスである。ユーザは、このサービスによって得られる特典情報を表示部２０５で確認し、利用可能な特典情報の中から利用する特典情報を選択することができる。
【００８６】
入力部２０４を介して受けた選択結果を制御部２０１は、通信部２０２を介して、サーバ４００に送信する。
【００８７】
店舗端末２００は、選択結果である特典情報に基づいて、ユーザに特典サービスを提供する。
【００８８】
サーバ４００は受けた選択結果の情報を履歴情報としてメモリ４０３に蓄積する。
【００８９】
このように、本発明の実施の形態のシステムでは、携帯端末１００と店舗端末２００を認証システム３００で認証したあと、サーバ４００でそれぞれの端末情報（ユーザＩＤと店舗ＩＤ）を登録することで、ユーザが携帯している携帯端末１００を利用して、いつでも所望する情報を確認することが可能となる。
【００９０】
つまり、ユーザは、カードを保有していなくとも、複数のカード情報を含むユーザ情報を、事前にサーバ４００に登録しておき、店舗内に設置されている店舗端末２００に携帯端末１００を掲示するのみで、本発明の第一の実施の形態のカード特典情報提供システムを利用して、いつでもカードを利用した購入及び、カード利用に伴う特典情報を享受することができる。
【００９１】
続いて、本発明の第二の実施の形態のカード特典情報提供システムでは、第一の実施の形態のカード特典情報提供システムからさらにユーザの有する情報の秘匿性を高めることが可能となる。
【００９２】
すなわち、問合せを行う前の、携帯端末１００、店舗端末２００が認証システム３００に対して認証する処理は、第一の形態と同じであるが、より秘匿性を高めるために、第二の形態のシステムにおいては、店舗端末２００にユーザＩＤを送信せずに、サーバ４００から所望する情報を引き出す処理も可能とする。
【００９３】
つまり、第一の実施の形態において、携帯端末１００のユーザＩＤを店舗端末２００に向けて送信したが、第二の実施の形態のシステムでは、逆に店舗端末２００から店舗ＩＤを携帯端末１００に向けて送信し、携帯端末１００において、サーバ４００に対する問合せ情報を作成する処理を行う。
【００９４】
図１６は、ユーザが、店舗内で特典情報を得るために、本発明の実施の形態のカード特典情報提供システムを利用するための処理を示すフローチャートである。
【００９５】
ここでは、ユーザＩＤが『００１』のユーザが、店舗ＩＤが『ＴＥＭＰＯ１』の店舗で購入をする場合の特典情報を得るサーバ４００へ問い合わせ、及びサーバ４００からの回答情報を得る流れを説明する。なお、ユーザ情報（図９）は、図６のステップによりサーバ４００に事前に登録されているものとする。
【００９６】
まず、ユーザは、購入品を決定したとき、店舗内のオペレータに、購入する予定の商品と、サーバ４００への情報照会を希望する旨を伝え、携帯している携帯端末１００の入力部１０４を操作して、店舗ＩＤ受信モードにし、店舗端末２００の近距離無線通信部２０６にかざし、待機する。
【００９７】
了承したオペレータは、店舗端末２００の入力部２０４を操作することによって、近距離無線通信部２０６から店舗ＩＤが送信されるように、店舗ＩＤ送信モードに変更する。
【００９８】
なお、この店舗ＩＤは、図７の各ステップの実行によりメモリ２０３に記憶されているものである。店舗ＩＤ送信モードにより、店舗ＩＤがメモリ２０３から読み出され、近距離無線通信部２０６から送信される。
【００９９】
携帯端末１００の近距離無線通信部１０６は、店舗端末２００の近距離無線通信部２０６から送信された店舗ＩＤを受け取る（ステップ１６１）。
【０１００】
次に、入力部１０４より、サーバ４００へ問合せ情報作成を指示する入力があった場合、携帯端末１００の制御部１０１は近距離無線通信部１０６で受信した店舗ＩＤと、メモリ１０３に保持されているユーザＩＤとを含めて暗号化した問合せ情報を作成し（ステップ１６２）、通信部１０２からサーバ４００に送信する（ステップ１６３）。
【０１０１】
サーバ４００の制御部４０１は、通信部４０２で受け取った問合せ情報を復号化し、ユーザＩＤはユーザＩＤデータベース４０５へ、店舗ＩＤは店舗ＩＤデータベース４０６へ渡す（ステップ１６４）
制御部４０１は、さらにそれぞれのデータベースにおいて、渡されたＩＤから該当するＩＤに関連するデータを検索する（ステップ１６５）。
【０１０２】
つまり、検索した結果、ユーザＩＤデータベース４０５から、ユーザＩＤが『００１』のデータのみが選択され、店舗ＩＤデータベースから、店舗ＩＤが『ＴＥＭＰＯ１』で示されるデータが選択されることとなる。
【０１０３】
制御部４０１は、選択されたデータを、データ抽出部４０４に格納し、ユーザＩＤに該当するデータと、店舗ＩＤに該当するデータを照らし合わし、一致した情報を、検索結果情報として抽出する（ステップ１６６）。
【０１０４】
ここでは、同一ユーザＩＤ『００１』、同一店舗ＩＤ『ＴＥＭＰＯ１』に一致するカード情報が合成された検索結果情報となる。
【０１０５】
次に、制御部４０１は、検索結果情報を参照に、カード特典情報データベース４０７を検索し（ステップ１６７）、前記検索結果に含まれるカード情報に一致するカード特典情報を、データ抽出部４０４に出力する。これによりデータ抽出部４０４はカード特典情報を検索結果情報に追加し、さらに、該ユーザ、該店舗（『ＴＥＭＰＯ１』の店舗）に対して利用可能なカード情報、及びそのカードが提供する特典情報とを含む回答情報を作成し、通信部４０２から携帯端末１００に送信する（ステップ１６８）。
【０１０６】
なお、データ抽出部４０４では、図１１に図示されるような、カード特典情報データベース４０７から一致するカード発行会社の特典情報を、図１４の検索結果情報に追加し、結果として図１５のように、特定のユーザが特定の店舗で利用可能なカードの特典情報の一覧として加工されたデータを含む回答情報を作成するものとする。
【０１０７】
また、ステップ１６３からステップ１６８までの抽出処理は、第１の形態のステップ８３からステップ８８までの処理と同一である。
【０１０８】
このようにして受信した回答情報に対して、携帯端末１００は、例えば図１５のデータ一覧形式として表示部１０５に表示する（ステップ１６９）。
【０１０９】
以上が、本発明のシステムを利用したカード特典情報提供サービスの第二の形態である。
【０１１０】
ユーザは、このサービスによって得られる特典情報を表示部１０５で確認し、利用可能な特典情報の中から利用する特典情報を選択することができる。
【０１１１】
ユーザが選択したあと、携帯端末１００は、入力部１０４に入力されたユーザの選択結果の情報を、再度店舗端末２００の近距離無線通信部２０６に向けて送信する。これにより、選択結果情報を受信した店舗端末２００は、選択結果に基づいて購入に対する特典のサービスを提供可能となる。
【０１１２】
なお、ここで店舗端末２００は、選択結果の情報を近距離無線通信部２０６の通信によって得たが、オペレータ、またはユーザが入力部２０４に対して、直接選択結果を入力することで情報を得ることも可能である。
【０１１３】
選択結果の情報を受信した店舗端末２００の制御部２０１は、入力部２０４を介して受けた選択結果を、通信部２０２を通してサーバ４００に送信する。
【０１１４】
サーバ４００は受けた選択結果の情報を履歴情報としてメモリ４０３に蓄積する。
【０１１５】
この本発明の第二の実施の形態のカード特典情報提供システムを利用することにより、ユーザは、カードを保有していなくとも、複数のカード情報を含むユーザ情報を事前にサーバ４００に登録しておき、店舗内に設置されている店舗端末２００に携帯端末１００を掲示するのみで、いつでもカードを利用した購入及び、カード利用に伴う特典情報を享受することができる。
【０１１６】
また、第２の実施の形態における問合せ情報の発信、及び回答情報の受信は、店舗端末２００ではなく、携帯端末１００のみで行われ、サーバ４００内の検索、及び回答情報作成などの流れは、第一の実施の形態と変わらない。
【０１１７】
しかしながら、店舗ＩＤを受け取った携帯端末１００において、ユーザＩＤを含めた問合せ情報を作成し、サーバ４００に送信するため、店舗端末２００においてユーザＩＤを読み取られることがない。
【０１１８】
このように、店舗端末２００へユーザＩＤを伝えずに、携帯端末１００が直接サーバ４００と通信をすることで、さらにユーザＩＤの秘匿性を向上させつつ、サーバ４００から所望する回答情報を携帯端末１００で得ることが可能となる。
【０１１９】
以上、本発明の実施の形態のカード特典情報提供システムでは、店舗端末２００の店舗ＩＤと、携帯端末１００のユーザＩＤを含む問合せ情報を、前記いずれかの端末から、サーバ４００に向けて送信することで、サーバ４００に登録された登録情報から抽出された回答情報を取得可能となる。この取得した回答情報が表示された表示部を確認したユーザが、自ら所有する複数のカードの中で、所定の店舗で利用可能なカードを確認し、さらに特典情報などを比較、選択する自由が得られることで、有効に活用することができる。
【図面の簡単な説明】
【０１２０】
【図１】本発明のひとつの実施の形態の例を示す、システム全体図である。
【図２】携帯通信端末の電気的構成を示すブロック図である。
【図３】店舗内情報端末の電気的構成を示すブロック図である。
【図４】認証システムの電気的構成を示すブロック図である。
【図５】サーバの電気的構成を示すブロック図である。
【図６】ユーザがカード特典情報システムにユーザ登録するためのフロー図である。
【図７】店舗がカード特典情報システムに店舗登録するためのフロー図である。
【図８】本発明の第一の実施の形態における特典情報サーバを利用するときのフロー図である。
【図９】本発明の実施の形態のユーザＩＤデータベースの記録内容一覧を示すイメージ図である。
【図１０】本発明の実施の形態の店舗ＩＤデータベースの記録内容一覧を示すイメージ図である。
【図１１】本発明の実施の形態のカード特典情報データベースの記録内容一覧を示すイメージ図である。
【図１２】ユーザＩＤが『００１』のユーザのデータが選択された場合のイメージ図である。
【図１３】店舗ＩＤが『ＴＥＭＰＯ１』の店舗のデータが選択された場合のイメージ図である。
【図１４】ユーザＩＤ『００１』、店舗ＩＤ『ＴＥＭＰＯ１』に一致するカード情報が抽出されたときのデータ抽出部における検索結果情報のイメージ図である。
【図１５】検索結果情報にカード特典情報が追加された回答情報のイメージ図である。
【図１６】本発明の第二の実施の形態における特典情報サーバを利用するときのフロー図である。
【符号の説明】
【０１２１】
１００    携帯通信端末
１０１    制御部
１０２    通信部
１０３    メモリ
１０４    入力部
１０５    表示部
１０６    近距離無線通信部
１０７    アンテナ
２００    店舗内情報端末
２０１    制御部
２０２    通信部
２０３    メモリ
２０４    入力部
２０５    表示部
２０６    近距離無線通信部
３００    認証システム
３０１    制御部
３０２    通信部
３０３    メモリ
４００    カード特典情報サーバ
４０１    制御部
４０２    通信部
４０３    メモリ
４０４    データ抽出部
４０５    ユーザＩＤデータベース
４０６    店舗ＩＤデータベース
４０７    カード特典情報データベース
５    インターネット網
５０    無線回路網
【図１】
2007172465.tif 000003
【図２】
2007172465.tif 000004
【図３】
2007172465.tif 000005
【図４】
2007172465.tif 000006
【図５】
2007172465.tif 000007
【図６】
2007172465.tif 000008
【図７】
2007172465.tif 000009
【図８】
2007172465.tif 000010
【図９】
2007172465.tif 000011
【図１０】
2007172465.tif 000012
【図１１】
2007172465.tif 000013
【図１２】
2007172465.tif 000014
【図１３】
2007172465.tif 000015
【図１４】
2007172465.tif 000016
【図１５】
2007172465.tif 000017
【図１６】
2007172465.tif 000018